【手続補正書】
【提出日】平成18年2月3日(2006.2.3)
【手続補正１】
【補正対象書類名】明細書
【補正対象項目名】特許請求の範囲
【補正方法】変更
【補正の内容】
【特許請求の範囲】
【請求項１】
駆動電動機と、前記駆動電動機を制御する電力変換装置と、前記駆動電動機と前記電力変換装置を強制冷却する冷却電動ファンを備え、
前記冷却電動ファンは、冷媒供給手段と、前記駆動電動機の温度を検出して電動機温度検出信号を出力する電動機温度検出手段と、前記電力変換装置の温度を検出して電力変換装置温度検出信号として出力する電力変換装置温度検出手段と、前記電動機温度検出信号と電力変換装置温度検出信号を参照して前記冷媒供給手段を制御する強制冷却制御手段を備えた電動装置の冷却システムにおいて、
前記強制冷却制御手段は、
前記駆動電動機のための強制冷却を開始および停止する電動機強制冷却制御温度を記憶する電動機強制冷却制御温度記憶手段と、前記電力変換装置の運転開始時の温度を電力変換装置運転開始温度として記憶する電力変換装置運転開始温度記憶手段と、前記電力変換装置のための強制冷却を開始および停止する温度を前記電力変換装置運転開始温度からの温度上昇量で強制冷却制御温度上昇量として設定して記憶する電力変換装置強制冷却制御温度上昇量記憶手段とを備え、
前記電動機温度検出信号と電力変換装置温度検出信号を参照し、電動機温度検出信号が前記電動機強制冷却制御温度まで上昇し、または電力変換装置温度検出信号の前記電力変換装置運転開始温度からの温度上昇量が前記強制冷却制御温度上昇量となったときに前記冷媒供給手段の動作制御を開始することを特徴とする電動装置の冷却システム。
【請求項２】
請求項１において、前記強制冷却制御温度上昇量は、強制冷却開始温度と強制冷却停止温度を含み、この強制冷却開始温度と強制冷却停止温度の温度差は、一定であることを特徴とする電動装置の冷却システム。
【請求項３】
請求項１において、前記強制冷却制御手段は、前記強制冷却制御温度上昇量を電力変換装置運転開始温度に応じて変化させるようにしたことを特徴とする電動装置の冷却システム。
【請求項４】
請求項３において、電力変換装置運転開始温度に応じた前記強制冷却制御温度上昇量は、電力変換装置運転開始温度が高くなるに伴って小さくなるようにしたことを特徴とする電動装置の冷却システム。
【請求項５】
請求項４において、電力変換装置運転開始温度が高くなるに伴って小さくなる前記強制冷却制御温度上昇量における強制冷却開始温度と強制冷却停止温度は、強制冷却開始温度に対して強制冷却停止温度の変化量を小さくしたことを特徴とする電動装置の冷却システム。
【請求項６】
請求項１〜５の１項において、前記強制冷却制御手段は、運転終了後の短い休止期間内に運転を再開したときにおける前記電力変換装置運転開始温度からの温度上昇量は、前回以前の運転開始時の電力変換装置運転開始温度からの温度上昇として求めることを特徴とする電動装置の冷却システム。
【請求項７】
請求項１〜６の１項において、前記冷媒供給手段は、前記駆動電動機と電力変換装置と電動ファン付き放熱器とポンプを直列に接続して液冷媒を循環させる冷媒循環系を備え、
前記強制冷却制御手段は、外気の温度を検出して外気温度検出信号を出力する外気温度検出手段を備え、外気温度と液冷媒の温度差に応じて前記冷却電動ファンを制御することを特徴とする電動装置の冷却システム。
【請求項８】
請求項１〜７の１項において、前記強制冷却制御手段は、電動装置運転開始時の外気温度または液冷媒の温度が該液冷媒の凝固点温度以下のときには、電力変換装置運転開始温度を液冷媒の凝固点温度に設定することを特徴とする電動装置の冷却システム。
【請求項９】
請求項１〜８の１項において、前記電力変換装置は、前記駆動電動機または電力変換装置の温度が耐熱許容温度に近付いたときには変換出力電力を減少させることを特徴とする電動装置の冷却システム。
【請求項１０】
請求項１〜９の１項において、前記電力変換装置温度検出手段は、電力変換装置を構成する半導体スイッチング素子のチップに内蔵したことを特徴とする電駆動装置の冷却システム。
【請求項１１】
駆動電動機と、前記駆動電動機を制御する電力変換装置と、前記駆動電動機と前記電力変換装置を強制冷却する冷却電動ファンを備え、
前記冷却電動ファンは、冷媒供給手段と、前記駆動電動機の温度を検出して電動機温度検出信号を出力する電動機温度検出手段と、前記電力変換装置の温度を検出して電力変換装置温度検出信号として出力する電力変換装置温度検出手段と、前記電動機温度検出信号と電力変換装置温度検出信号を参照して前記冷媒供給手段を制御する強制冷却制御手段を備えた電駆動装置の冷却システムにおいて、
前記強制冷却制御手段は、
外気の温度を検出して外気温度検出信号を出力する外気温度検出手段を備え、
前記電動機温度検出信号と電力変換装置温度検出信号と外気温度検出信号を参照して前記冷媒供給手段を制御することを特徴とする電動装置の冷却システム。
【請求項１２】
駆動電動機と、前記駆動電動機を制御する電力変換装置と、前記駆動電動機と前記電力変換装置を強制冷却する冷却電動ファンを備え、前記冷却電動ファンは、冷媒供給手段と、前記駆動電動機の温度を検出して電動機温度検出信号を出力する電動機温度検出手段と、前記電力変換装置の温度を検出して電力変換装置温度検出信号として出力する電力変換装置温度検出手段と、前記電動機温度検出信号と電力変換装置温度検出信号を参照して前記冷媒供給手段を制御する強制冷却制御手段を備えた電動装置の冷却制御方法において、
前記強制冷却制御手段は、
前記駆動電動機のための強制冷却を開始および停止する電動機強制冷却制御温度と、前記電力変換装置の運転開始時の温度を電力変換装置運転開始温度と、前記電力変換装置のための強制冷却を開始および停止する温度として前記電力変換装置運転開始温度からの温度上昇量で設定した強制冷却制御温度上昇量とを記憶し、
前記電動機温度検出信号と電力変換装置温度検出信号を参照し、電動機温度検出信号が前記電動機強制冷却制御温度まで上昇し、または電力変換装置温度検出信号の前記電力変換装置運転開始温度からの温度上昇量が前記強制冷却制御温度上昇量となったときに前記冷媒供給手段の動作制御を開始することを特徴とする電動装置の冷却制御方法。
【手続補正２】
【補正対象書類名】明細書
【補正対象項目名】００１９
【補正方法】変更
【補正の内容】
【００１９】
【課題を解決するための手段】
本発明は、駆動電動機と、前記駆動電動機を制御する電力変換装置と、前記駆動電動機と前記電力変換装置を強制冷却する冷却電動ファンを備え、
前記冷却電動ファンは、冷媒供給手段と、前記駆動電動機の温度を検出して電動機温度検出信号を出力する電動機温度検出手段と、前記電力変換装置の温度を検出して電力変換装置温度検出信号として出力する電力変換装置温度検出手段と、前記電動機温度検出信号と電力変換装置温度検出信号を参照して前記冷媒供給手段を制御する強制冷却制御手段を備えた電動装置の冷却システムにおいて、
前記強制冷却制御手段は、
前記駆動電動機のための強制冷却を開始および停止する電動機強制冷却制御温度を記憶する電動機強制冷却制御温度記憶手段と、前記電力変換装置の運転開始時の温度を電力変換装置運転開始温度として記憶する電力変換装置運転開始温度記憶手段と、前記電力変換装置のための強制冷却を開始および停止する温度を前記電力変換装置運転開始温度からの温度上昇量で強制冷却制御温度上昇量として設定して記憶する電力変換装置強制冷却制御温度上昇量記憶手段とを備え、
前記電動機温度検出信号と電力変換装置温度検出信号を参照し、電動機温度検出信号が前記電動機強制冷却制御温度まで上昇し、または電力変換装置温度検出信号の前記電力変換装置運転開始温度からの温度上昇量が前記強制冷却制御温度上昇量となったときに前記冷媒供給手段の動作制御を開始することを特徴とする。
【手続補正３】
【補正対象書類名】明細書
【補正対象項目名】００２５
【補正方法】変更
【補正の内容】
【００２５】
また、前記冷媒供給手段は、前記駆動電動機と電力変換装置と電動ファン付き放熱器とポンプを直列に接続して液冷媒を循環させる冷媒循環系を備え、前記強制冷却制御手段は、外気の温度を検出して外気温度検出信号を出力する外気温度検出手段を備え、外気温度と液冷媒の温度差に応じて前記冷却電動ファンを制御することを特徴とする。
【手続補正４】
【補正対象書類名】明細書
【補正対象項目名】００２９
【補正方法】変更
【補正の内容】
【００２９】
また、本発明は、駆動電動機と、前記駆動電動機を制御する電力変換装置と、前記駆動電動機と前記電力変換装置を強制冷却する冷却電動ファンを備え、
前記冷却電動ファンは、冷媒供給手段と、前記駆動電動機の温度を検出して電動機温度検出信号を出力する電動機温度検出手段と、前記電力変換装置の温度を検出して電力変換装置温度検出信号として出力する電力変換装置温度検出手段と、前記電動機温度検出信号と電力変換装置温度検出信号を参照して前記冷媒供給手段を制御する強制冷却制御手段を備えた電駆動装置の冷却システムにおいて、
前記強制冷却制御手段は、
外気の温度を検出して外気温度検出信号を出力する外気温度検出手段を備え、  前記電動機温度検出信号と電力変換装置温度検出信号と外気温度検出信号を参照して前記冷媒供給手段を制御することを特徴とする。
【手続補正５】
【補正対象書類名】明細書
【補正対象項目名】００３０
【補正方法】変更
【補正の内容】
【００３０】
また、本発明は、駆動電動機と、前記駆動電動機を制御する電力変換装置と、前記駆動電動機と前記電力変換装置を強制冷却する冷却電動ファンを備え、前記冷却電動ファンは、冷媒供給手段と、前記駆動電動機の温度を検出して電動機温度検出信号を出力する電動機温度検出手段と、前記電力変換装置の温度を検出して電力変換装置温度検出信号として出力する電力変換装置温度検出手段と、前記電動機温度検出信号と電力変換装置温度検出信号を参照して前記冷媒供給手段を制御する強制冷却制御手段を備えた電動装置の冷却制御方法において、
前記強制冷却制御手段は、
前記駆動電動機のための強制冷却を開始および停止する電動機強制冷却制御温度と、前記電力変換装置の運転開始時の温度を電力変換装置運転開始温度と、前記電力変換装置のための強制冷却を開始および停止する温度として前記電力変換装置運転開始温度からの温度上昇量で設定した強制冷却制御温度上昇量とを記憶し、
前記電動機温度検出信号と電力変換装置温度検出信号を参照し、電動機温度検出信号が前記電動機強制冷却制御温度まで上昇し、または電力変換装置温度検出信号の前記電力変換装置運転開始温度からの温度上昇量が前記強制冷却制御温度上昇量となったときに前記冷媒供給手段の動作制御を開始することを特徴とする。